(57)【特許請求の範囲】
【請求項１】
膨らんでかつ見かけ上の尖端に収斂する響体と尖端の側面に取り付けられた棹を備えたリュートであって、棹は指板を有し、指板はフレットを備えかつその自由端に糸倉を有しその際響体は湾曲したリュート背と共鳴蓋とから成り、リュート背の縁は棹の一側とその他側との間で外側に向かって湾曲しておりかつ一平面上に位置し、共鳴蓋の縁はリュート背の縁と結合しており、共鳴蓋はリュート背に面した下側に縦桁と横桁を備え、共鳴蓋は下側に向かい合った上側に緒止め板を備え、緒止め板は棹から最も遠く離れた、共鳴蓋の中心線の長さの１／３の部分においてその中心線上でかつ緒止め板の長手方向延長部分で中心線を横切って共鳴蓋と結合しており、その際糸倉と緒止め板との間に複数の弦が張られており、そして弦の領域で中心線の棹に近い半分において上側と下側との間に１つ又は複数の響孔が設けられている前記リュートにおいて、
緒止め板（１５）を含めて共鳴蓋（１２）は外側に湾曲しており、その際湾曲した共鳴蓋（１２）の最大距離（２０）はリュート背（７）の縁（８）が存在する平面（１１）上少なくとも２ｍｍであり、共鳴蓋（１２）の下側には横桁のない面（２１）が設けられており、この面は略緒止め板（１５）と、共鳴蓋（１２）の縁（１３）の、棹が位置する領域とは反対側の領域（２４）との間の第１部分面（２２）と、互いに向かい合って位置する共鳴蓋の縁領域（２５；２６）の間の、第１部分面（２２）と境を接しかつ第一部分面と略等しい大きさの第２部分面（２３）とに相応し、その際横桁のない面（２１）は同時に縦桁のない面としても形成されるか又は中心対称に配設されている縦桁（２７）を備えることを特徴とする前記リュート。
【請求項２】
縦桁（２７）が、実質的に中心軸線（１６）の延在方向に延びていることを特徴とする請求項１に記載のリュート。
【請求項３】
縦桁（２７）が中心軸線（１６）の縦延在方向に対して鋭角をなしていることを特徴とする請求項１又は２に記載のリュート。
【請求項４】
縦桁（２７）がその中心縦軸線（２８）が共鳴蓋（１２）の中心軸線（１６）上の仮想点で交差し又は棹（４）の方向の延長部で交差するように扇状に延びていることを特徴とする請求項１から３までのうちのいずれか１つに記載のリュート。
【請求項５】
縦桁（２７）が中心軸線（１６）に対して平行であることを特徴とする請求項１又は２に記載のリュート。
【請求項６】
偶数の縦桁（２７）が設けられていることを特徴とする請求項１から５までのうちのいずれか１つに記載のリュート。
【請求項７】
奇数の縦桁（２７）が設けられていることを特徴とする請求項１から５までのうちのいずれか１つに記載のリュート。
【請求項８】
共鳴蓋（１２）の厚さが、横桁のない面（２１）で縁（１３）に向かって減少していることを特徴とする請求項１から６までのうちのいずれか１つに記載のリュート。
【請求項９】
少なくとも２つの縦桁が、横桁のない面（２１）の最も近くに位置する横桁に少なくとも接触しないで下を経過し、横桁において横桁がこれらの縦桁との交差個所にトンネル状の空所を有することを特徴とする請求項１から８までのうちのいずれか１つに記載のリュート。
【請求項１０】
指板（５）が共鳴蓋部分を通って共鳴蓋（１２）上に延びており、かつフレットが共鳴蓋部分上に配設されていることを特徴とする請求項１から８までのうちのいずれか１つに記載のリュート。
【請求項１１】
共鳴蓋（１２）が共鳴蓋部分の領域の下面を硬質木片（３１）によって補強されていることを特徴とする請求項９に記載のリュート。
【請求項１２】
８つの弦（１７）が張られ、弦は調律状態Ｃ−Ｄ−Ｅ−Ａ−ｄ−ｇ−ｈ−ｅ’を有することを特徴とする請求項１から１０までのうちのいずれか１つに記載のリュート。
【請求項１３】
１５の単一弦が張られ、単一弦は調律状態Ｇ−Ａ−Ｂ−Ｃ−Ｄ−Ｅ−Ｆ−Ｇ−Ａ−Ｂ−ｄ−ｆ−ａ−ｄ’−ｆ’又は調律状態Ｇ−Ａ−Ｂ−Ｃ−Ｄ−Ｅ−Ｆ−Ｇ−Ａ−Ｂ−ｄ−ｆ−ａ−ｄ’−ｇ’を有することを特徴とする請求項１から１０までのうちのいずれか１つに記載のリュート。
【発明の詳細な説明】
【０００１】
【発明の属する技術分野】
本発明は、膨らんでかつ見かけ上の尖端に収斂する響体と尖端の側でいわゆる台座又は上部材に取り付けられた棹とを備えたリュートに関する。この棹はフレットを有する指板を有する。その自由端には棹は糸倉を有する。響体は湾曲したリュート背から成り、その縁は棹の一側とその他側との間で外側に向かって湾曲しておりかつ一平面上に位置する。さらに、響体は共鳴蓋から成り、その縁はリュート背の縁と結合している。共鳴蓋はそのリュート背に面した下側に筋かえ又は以下縦桁と称する扇状桁を備える。下側に向かい合って位置する上側上に共鳴蓋は緒止め板を備え、緒止め板は棹から最も遠く離れた、共鳴蓋の中心線の長さの１／３の部分においてその中心線上でかつ緒止め板の長手方向延長部分で中心線を横切って共鳴蓋と結合している。糸倉と緒止め板との間に複数の弦が張られている。中心線の棹の近くの半分において弦の領域に複数の響孔が共鳴蓋の上側と下側との間に設けられている。
【０００２】
【従来の技術】
１８世紀におけるマルチウス、クラウスの即ち、レオポルドウイドハルム及びニュルンベルガーのリュート構造及びギター構造から、即ち、１９９６年、エルウィン  ボチンスキー出版社から発行されたドイツ国立博物館の合成樹脂技術及び保存協会の刊行物第４巻から、１８世紀における最後の発展状態が公知である。その後にリュートは膨らんだ響体を備え、響体は棹が取り付けられる見かけ上の尖端に収斂する。棹が指板を有し、指板がフレットを備え、棹がその自由端に糸倉を有することは一般的に公知の技術水準に属する。１８世紀に誕生したリュートから、響体が湾曲したリュート背から成り、その縁が棹の一側とその他側との間で外側に向かって湾曲していることが公知である。リュート背の縁は一平面上に位置する。リュート背は共鳴蓋を備え、共鳴蓋の縁はリュート背の縁と結合している。
【０００３】
リュートの殆ど全ての部分がそうであるように、共鳴蓋は木製である。その際共鳴蓋の木目の方向はその中心線に対して平行である。即ち、共鳴蓋の春材及び秋材は殆ど直線のストリップを形成し、ストリップは実質的に共鳴蓋の中心線に対して平行に位置する。
【０００４】
公知のリュートは７つの横桁を備え、横桁は中心線に対して横に従って特に共鳴蓋の木の木目の方向に対して横に位置する。それによって共鳴蓋の下側の主要な面は横桁を備える。下側の棹とは反対側の略１／４にのみ扇状桁が配設されている。この扇状桁の縦中心線は、−大抵ー共通の交点を有し、交点は共鳴蓋面の中心線の棹とは反対側の１／３の位置に位置する。
【０００５】
特に、共鳴蓋の上側上に配設されている緒止め板の領域の近似的に共通の交点が位置する。この緒止め板は、即ち、共鳴蓋の中心線の棹から最も遠く離れた、共鳴蓋の中心線長さの１／３の部分にある。緒止め板はこの中心線上でかつ緒止め板の長手方向延長部分で中心線を横切って共鳴蓋と結合している。
【０００６】
糸倉と緒止め板との間に複数の弦が張られる。古典的な弦張りは、調律状態G −A −B −Ｃ−Ｄ−E −F −Ｇ−Ａ−Ｂ−ｄ−ｆ−ａ−ｄ’−ｆ’を有する１３弦から成る。その際第１の１０個数の弦は二重弦として実施されている。ｄ’−ｆ’弦のみが単一弦として実施されている。
【０００７】
エルウイン  ボチンスキー出版社から出版された、ヨーゼ  L.ロマニロス：即ち、アントニオ  デ  トレスのギター構造ーその寿命及び製作から、今日コンサートギターで使用されるアントニオ  デ  トレスによる構造も略１８５０年に公知である。そのようなギターは共鳴蓋および共鳴底板を有し、これら両者は横板によって相互に結合されている。この横板は、際立ってくびれており、その結果共鳴蓋と共鳴底板とはこのくびれに倣う。共鳴蓋の棹に近い領域で２つの広い横桁の他に、この公知のギターは棹から離れた領域に斜めに延びる２つの縦桁をも備える。これらの斜めの縦桁とギターのくびれ領域との間に他の縦桁又はいわゆる扇状桁が配設されており、その際縦桁と称される部分は、横桁と称される部分の横断面積の略１／１０の横断面積を有する。ギターのくびれ部分と棹から離れた端との間の略中間で、緒止め板は共鳴蓋の上側上に固定されている。緒止め板と緒止め板の自由端にある糸倉の間には、調律状態Ｅ−Ａ−ｄ−ｇ−ｈ−ｅ’に６つの弦が公知の方法で張られている。
【０００８】
１９世紀中葉にスペインで開発された今日のギターは疑いもなく現在のポピュラー楽器の数に入る。
【０００９】
しかし、ヨーロッパ音楽にとってはリュートに対しては代用品の役割しか果たさない。
【００１０】
リュートは１５世紀このかた、西洋の音楽文化の最も重要な音響器具の１つになっている。多数の有名な作曲家が、リュートのために書かれた作品を後に残した。しかしながら、これらの作品は今日、代理の役割を果たすギターにわずかにまたは不十分にしか再現することができない。なぜなら、それらの作品は広く忘れられている状態に陥っているからである。
【００１１】
リュートを今日のオーケストラから押し戻す理由は、最近の百年間でほとんど全てのオーケストラ楽器が明らかな発展を果たしたが、リュートは果していないことに見ることができる。その結果として、リュートは厚さが不足しており、複雑にしか演奏できず、限定された表現力と時代に合わない記譜法の形式をもっている。
【００１２】
刊行物の米国特許 1 361 182には、上側と下側を囲む実質的に閉じられたフレームを有する共鳴胴をもっている弦楽器が記載されている。上側と下側はそれぞれ凸形にアーチ状をしている。この楽器は横桁または縦桁をもっておらず、かつクルパス（Kurpus) が典型的なリュート形状から外れているので、この楽器はリュートと明らかに異なる音響が指摘される。
【００１３】
ドイツの実用新案登録明細書第 88 08 073.0号には、前述したギターの構成を再現する楽器が記載されている。
【発明が解決しようとする課題】
【００１４】
それ故、本発明の課題は、現代の演奏会形式の条件にふさわしくかつそのすばらしい音響特性を維持しながら今日のギタリスト達にとって近づきやすく、それ故今日のオーケストラでリュートの再統一を可能にするようにリュートを形成することである。
【課題を解決するための手段】
【００１５】
本発明により、この課題は、リュートの共鳴蓋が緒止め板を含めて外方に向かってアーチ形にされ、その際平面の上のアーチ形の共鳴蓋の最大間隔が少なくとも２ mm であることにより解決される。さらに、共鳴蓋の下側に、横桁のない平面が設けられ、この平面は、ほぼ緒止め板と、棹と反対側の縁の領域との間にある第一の部分面および互いに向かい合っている縁領域の間にある、第一の部分面に隣接するほぼ同じ大きさの第二の部分面に対応する。その場合、横桁のない平面が同時に縦桁のない平面として形成されるかまたは中心対称に配置された縦桁を有して設けられている。共鳴蓋アーチにより、リュートにおいて、これが、共鳴蓋の重い補強をやめることを可能にする安定性を有することが達成される。それと共に、この共鳴蓋の領域が振動にさらされやすく、それによって楽器の音響発生が改善される。
【００１６】
首尾一貫して、平面領域が、弦ホルダの下に存在する共鳴蓋の下側に、全く縦桁をつけることがないかまたはわずかに縦桁をつけることがあり、しかも縦桁をつけることにより音響発生と音響伝播を邪魔しない。
【００１７】
本発明の有利な構成では、縦桁をつけることがある限りでは、実質的に中心軸線の長手方向延長部の方向に延びる縦桁からなるようにする。
【００１８】
これらの縦桁は、縦桁が中心軸線の長手方向延長部の方向に対し鋭角をなして延びるように形成できる。そのとき、縦桁の延び具合は、中心軸線に対するその中心長手方向直線が最高でも４５°より小さい角度を囲むと解しなければならない。
【００１９】
本発明の可能な構成では、縦桁はその中心長手方向軸線が棹の方向に共鳴蓋またはその延長部の中心軸線上の１つの仮想点で交差するように延びている。
【００２０】
これに代わる方法として、縦桁が中心線に平行に延びることもできる。
【００２１】
本発明のさらなる構成では、偶数の縦桁が設けられている。それにより、中心軸線は縦桁をつけないままであることが達成される。
【００２２】
本発明の他の構成では、奇数の縦桁が設けられている。
【００２３】
縦桁が共鳴蓋の中心軸線に対し基本的に対称に配置されているので、奇数の縦桁により、常に中心軸線でも縦桁がつけられることが確保される。
【００２４】
奇数として、特に縦桁の数は３個、５個、７個または９個が適する。
【００２５】
本発明の有利な構成では、共鳴蓋の厚さが少なくとも横桁のない平面の領域で縁に向かって減少するようにする。それとともに、バスの一層高い基音割分が実現される。
【００２６】
基本的に、そのような縦桁をつけることにより、緒止め板から共鳴蓋への一様な音響損失が可能になる。
【００２７】
本発明のさらなる構成では、横桁がそれらの端部で受け面（コンソール）に載っているようにする。
【００２８】
本発明は、少なくとも２つの縦桁が、少なくとも、横桁のない平面に最も近く存在する横桁が接触せずに下を延びることにより構成することもできる。このことは、横桁が横桁と縦桁の間の交差箇所にトンネル状の凹部を有することにより行われる。それにより、縦桁と横桁の間の接触が避けられかつ音響損失が、横桁が設けられている平面の領域でも縦桁を経由して可能になる。
【００２９】
本発明のさらなる構成では、指板が共鳴蓋部分を通って共鳴蓋へ延長されるようにする。この部分には、こまの配置が継続される。この配置により、いっそう高い弦もいっそう高いトーンで演奏可能であることができる。
【００３０】
この構成の場合、共鳴蓋をそれらの下側の共鳴蓋部分の領域で硬質木片で補強するのが合目的である。それとともに、一方では、すなわちこの領域での共鳴蓋の機械的な安定性が高められ、このため、この共鳴蓋領域で弦を弾いたときに、少なからぬ圧力が及ぼされるので合目的である。他方では、それとともに、弦の音響損失が共鳴蓋を経由して強化される。なぜなら、特にこの部分で共鳴蓋がしなやかである場合に、まさに、一層高い弦をいっそう高いトーンで弾いたときに、弦の振動容積が、それとともにそのリュート厚さが非常に小さいからである。
【００３１】
本発明のさらなる構成では、リュートで、８個の弦がぴんと張られ、それらの弦は調律状態Ｃ−Ｄ−Ｅ−Ａ−ｄ−ｇ−ｈ−ｅ′を有するようにする。そのような張力で、１８００年このかたの全体のギター音楽と現代音楽を弾くことができる。さらに、ｇ−弦を半音だけ嬰ヘ音の方へ調律すれば、１４５０年から１６３０年までの全体のリュート音楽を弾くことも可能である。
【００３２】
この張力をかける方法に代わる方法として、１５の個々の弦でリュートに張力をかけて、これらの弦は調律状態Ｇ−Ａ−Ｂ−Ｃ−Ｄ−Ｅ−Ｆ−Ｇ−Ａ−Ｂ−ｄ−ｆ−ａ−ｄ′−ｆ′−または調律状態Ｇ−Ａ−Ｂ−Ｃ−Ｄ−Ｅ−Ｆ−Ｇ−Ａ−Ｂ−ｄ−ｆ−ａ−ｄ′−ｇ′を有するようにすることができる。そのような張力をかけることにより、１６３０年と１８００年の間の時代の全体のリュート音楽、１９世紀と２０世紀の音楽であるギターレパートリーの部分、１４５０年から１６３０年までのリュート音楽レパートリーの部分および現代の作曲された作品を弾くことができる可能性が与えられる。
【００３３】
以下、本発明を実施の形態により詳細に説明する。
【００３４】
図面に示したように、リュート１は膨らんだ共鳴胴２を有する。この共鳴胴は、外見上の尖端３を目指して走り寄るように形成されている。尖端３には、棹４が当てられている。この棹４は指板５を有し、この指板には詳細に示されていないこまが設けられている。その自由端に、棹４が糸倉６を担持している。
【００３５】
共鳴胴２自体はアーチ状のリュート背７からなる。リュート背７の縁８はその延長方向が棹４の一方の側面９とその他方の側面１０の間で常に外方に向かって湾曲している。さらに、縁９は、図３に参照数字１１で示されている一平面上に存在する。さらに、共鳴胴２は共鳴蓋１２からなり、その縁１３はリュート背７の縁８と結合されている。
【００３６】
その上側１４では、共鳴蓋１２に緒止め板１５が設けられている。緒止め板１５は共鳴蓋１２の中心線１６に配置されかつしかもその長手延長方向において中心線１６を横切って配置されている。この位置で、緒止め板１５が共鳴蓋１２と、例えば接着結合により結合されている。
【００３７】
糸倉６と緒止め板１５の間に、比較的多数の弦１７がぴんと張られている。中心線１６の棹に近い半部には、弦１７の範囲で、響孔１８が共鳴蓋１２の中へもたらされ、この響孔１８は比較的多数の小さい響孔が生じるように円花飾り１９で閉鎖されている。
【００３８】
特に図３から明らかなように、共鳴蓋１２は緒止め板１５を含めて、いわゆる矢印高さ２０だけアーチ形にされている。この矢印高さはこの実施の形態では２mmまたはそれ以上になる。
【００３９】
共鳴蓋１２の下側に、横桁のない平面２１が設けられている。この横桁のない平面２１は第一の部分面２２と第二の部分面２３とからなる。第一の部分面は、ほぼ緒止め板１５と、棹と反対側に向けられた縁１３の領域２４との間を延びている。第二の部分面２３は第一の部分面２２に隣接しておりかつ第一の部分面２２に対しほぼ同じ大きさである。第二の部分面は互いに向かい合っている縁領域２５と２６の間を延びている。
【００４０】
横桁のない面２１には、縦桁２７が中心対称に配置されている。それらの中心長手方向軸線２８は棹４の方向の中心軸線１６の延長上の１つの仮定点で交差している。
【００４１】
ひっくるめて、実施の形態では、７つの縦桁２７が設けられている。しかしながら、他の奇数の縦桁２７も可能である。共鳴蓋の下側の残っている平面領域には、５つの横桁２９が配置されている。円花飾り１９が押し込む前に小さい安全桁３０で確保されている。
【００４２】
詳細には示されていない仕方で、指板５が共鳴蓋部分により共鳴蓋１２上へ延長されている。その場合、共鳴蓋部分はこまを有する。図３から明らかなように、共鳴蓋１２は共鳴蓋部分の下でその下側が硬質木片３１で強化されている。
【図面の簡単な説明】
【図１】  本発明によるリュートの側面図である。
【図２】  本発明によるリュートの共鳴蓋の下側の平面図である。
【図３】  本発明によるリュートの縦断面図である。
【符号の説明】
１    リュート
２    共鳴胴
３    尖端部
４    棹
５    指板
６    糸倉
７    リュート背
８    リュート背の縁
９    棹の側面
１０  棹の側面
１１  平面
１２  共鳴蓋
１３  共鳴蓋の縁
１４  上側
１５  緒止め板
１６  中心軸線
１７  弦
１８  響孔
１９  円花飾り
２０  矢印高さ
２１  桁のない平面
２２  第一の部分面
２３  第二の部分面
２４  縁の領域
２５  縁領域
２６  縁領域
２７  縦桁
２８  中心長手方向軸線
２９  横桁
３０  安全桁
３１  硬質木片
【図１】
0004834267.tif 000002
【図２】
0004834267.tif 000003
【図３】
0004834267.tif 000004